(57)【要約】【課題】背部の施術を行う際に、被施術者に着用させるための施術衣であって、被施術者が自ら操作して着用するのが容易であり、また、低コストで製造可能な施術衣の提供。【解決手段】施術衣１は背部側が開放可能となっている。着用時には第一後身頃１１の上に第二後身頃１２を重ね合わせるような構造となっている。前身頃１０と第二後身頃１２の境界部付近に貫通孔Ｈ及び係着部材Ａを有し、貫通孔Ｈを通して第一後身頃先端部１１ａを係着部材Ａに係着するようになっている。前身頃１０と第一後身頃１１の境界部付近に係着部材Ｂを有し、第二後身頃先端部１２ａを係着部材Ｂに係着するようになっている。係着部材Ａや係着部材Ｂがボタンであり、第一後身頃先端部１１ａや第二後身頃先端部１２ａが環状部となっているのが望ましい。【選択図】図１
2020176352.tif 000002
【特許請求の範囲】
【請求項１】
背部の施術を行う際に、被施術者に着用させるための施術衣であって、背部側が開放可能であり、着用時には第一後身頃の上に第二後身頃を重ね合わせるような構造となっており、前身頃と該第二後身頃の境界部付近に貫通孔及び係着部材Ａを有し、該貫通孔を通して第一後身頃先端部を該係着部材Ａに係着するようになっており、該前身頃と該第一後身頃の境界部付近に係着部材Ｂを有し、第二後身頃先端部を該係着部材Ｂに係着するようになっていることを特徴とする施術衣。
【請求項２】
上記係着部材Ａ及び／又は上記係着部材Ｂがボタンであり、上記第一後身頃先端部及び／又は上記第二後身頃先端部が環状部となっており、該環状部を該ボタンに引っ掛けることによって係着するようになっている請求項１に記載の施術衣。
【請求項３】
上記係着部材Ａがボタンであり、上記第一後身頃先端部が環状部となっており、該環状部を該ボタンに引っ掛けることによって係着するようになっている請求項２に記載の施術衣。
【請求項４】
前記前身頃と前記第二後身頃の境界部において、該前身頃と該第二後身頃が縫合されていない部分が前記貫通孔となっている請求項１ないし請求項３の何れかの請求項に記載の施術衣。
【請求項５】
タオル地で構成されている請求項１ないし請求項４の何れかの請求項に記載の施術衣。
【請求項６】
請求項１ないし請求項５の何れかの請求項に記載の施術衣を作製するためのものであることを特徴とする型紙。
【発明の詳細な説明】
【技術分野】
【０００１】
本発明は、施術衣に関し、更に詳しくは、被施術者が着用するのが容易であり、かつ、施術者が施術を行う際に一時的に脱がせるのも容易な施術衣に関する。
【背景技術】
【０００２】
アロマテラピーサロン、エステティックサロン、鍼灸院等においては、被施術者の肌にオイルを塗布したり、マッサージを施したりする施術が行われる。この際、被施術者の羞恥心に配慮し、被施術者が一時的に着用する施術衣が使用される。
【０００３】
一方で、施術の円滑な実施のため、施術衣には、施術の際に必要な部位が既に露出していたり、かかる部位を施術者がスムーズに露出させるようにできたりすることが求められる。このような要請を満たすため、様々な施術衣が提案されている。
【０００４】
特許文献１には、着脱容易にするために、係着部材によって、前側、後ろ側の２箇所で留める鍼灸被施術用衣服に関する発明が開示されている。
【０００５】
特許文献２には、袖の無いワンピース形状の衣服本体の両肩部分を分離可能に形成し、さらに、側面を開閉可能に形成した施術用衣服に関する発明が開示されている。
【０００６】
特許文献３には、リバーシブル着用可能なノースリーブ状に形成されており、前後両方に接合手段としてスナップボタンを有する施術用衣服に関する発明が開示されている。
【０００７】
特許文献４には、身体の任意の部位を容易に開放可能な施術衣に関する発明が開示されている。特許文献４に記載の発明においては、衿部を面ファスナー等で留められるようになっており、前身ごろは、連結部において横方向に縫い付けられている。
【０００８】
特許文献５には、後身ごろの中央部を、マジックテープ（登録商標）等によって係止する施術用一部開放衣に関する発明が開示されている。特許文献５に記載の発明においては、マジックテープ（登録商標）等が密に配置された部分（剥離非容易部）と、そうでない部分（剥離容易部）が設けられている。
【０００９】
しかしながら、これらの公知技術では、施術者が、必要な部位を露出させるために施術衣を操作する（脱がせる）ことは可能であったが、被施術者による着用は必ずしも容易ではない、という問題があった。
また、公知技術では、施術衣の部材が複数に分かれていたり、開閉可能部分の構造が複雑であったりすることから、施術衣の製作にコストがかかるという問題があった。
【００１０】
このため、被施術者による着用が容易であり、安価に製造することのできる施術衣の開発が望まれている。
【先行技術文献】
【特許文献】
【００１１】
【特許文献１】実用新案登録第３１３２５６５号公報
【特許文献２】特開２００７−０１６３７３号公報
【特許文献３】実用新案登録第３２１０６７８号公報
【特許文献４】特開２００６−１２２６１５号公報
【特許文献５】特開平１１−１９２２４３号公報
【発明の概要】
【発明が解決しようとする課題】
【００１２】
本発明は上記背景技術に鑑みてなされたものであり、その課題は、被施術者が自ら操作して着用するのが容易であり、また、低コストで製造可能な施術衣を提供することにある。
【課題を解決するための手段】
【００１３】
本発明者は、上記の課題を解決すべく鋭意検討を重ねた結果、施術衣の背部側を開放可能とし２つの後身頃同士を重ね合わせるような構造とし、係着部材を前身頃と後身頃の境界部付近に設けることにより、被施術者が着用することも、施術者が必要な部位を露出させるために脱がせることも極めて容易となることを見出して、本発明を完成するに至った。
【００１４】
すなわち、本発明は、背部の施術を行う際に、被施術者に着用させるための施術衣であって、背部側が開放可能であり、着用時には第一後身頃の上に第二後身頃を重ね合わせるような構造となっており、前身頃と該第二後身頃の境界部付近に貫通孔及び係着部材Ａを有し、該貫通孔を通して第一後身頃先端部を該係着部材Ａに係着するようになっており、該前身頃と該第一後身頃の境界部付近に係着部材Ｂを有し、第二後身頃先端部を該係着部材Ｂに係着するようになっていることを特徴とする施術衣を提供するものである。
【発明の効果】
【００１５】
本発明によれば、施術者が施術の際に必要な部位を露出させるために操作する（脱がせる）のが容易なだけでなく、被施術者が自ら操作して着用するのが容易な施術衣を提供することができる。このため、施術の効率性を向上することができる。
【００１６】
本発明の施術衣は、背部側が開放可能となっている。このような背部側が開放可能な施術衣の着脱方法としては、紐で結ぶ方法が考えられるが、紐を結んだり解いたりする手間が面倒である。これに対して、本発明では、係着部材によって、係着するようになっているので、着脱の作業が行いやすく、また、様々な体型の被施術者が着用することが可能であり、汎用性が高い。
【００１７】
本発明の施術衣は、単純な構造であり、係着部材は２つのみでよく、また、該係着部材として、一般に流通しているボタンを使用することが可能である。このため、本発明の施術衣は、安価に製造することができる。また、本発明の施術衣は、メンテナンスも極めて容易であり、長期に亘って使用することが可能である。
【図面の簡単な説明】
【００１８】
【図１】本発明の施術衣の図である（表側）。
【図２】本発明の施術衣の図である（裏側）。
【図３】本発明の施術衣を着用した状態を示す図である（前側から見た場合）。
【図４】本発明の施術衣を着用した状態を示す図である（後ろ側から見た場合）。
【図５】本発明の施術衣を着用した状態を示す図である（左側から見た場合の拡大図）。
【図６】本発明の施術衣を着用した状態を示す図である（右側から見た場合の拡大図）。
【図７】本発明の施術衣の着用方法を示す図である（第一後身頃先端部を、貫通孔を通して係着部材Ａに係着しようとしている状態）。
【図８】本発明の施術衣の着用方法を示す図である（第二後身頃先端部を係着部材Ｂに係着しようとしている状態）。
【発明を実施するための形態】
【００１９】
以下、本発明について説明するが、本発明は以下の実施の形態に限定されるものではなく、任意に変形して実施することができる。
【００２０】
図１〜６に本発明の施術衣１の一例を示す。本発明の施術衣１は、背部の施術を行う際に、被施術者に着用させるものである。「背部の施術」としては、例えば、被施術者の背部にオイルを塗ったり、マッサージしたりする施術が挙げられる。
背部の施術を行う際には、被施術者は、上半身の衣服を脱いでおく（またはずらしておく）必要があるため、待ち時間；更衣場所から施術場所まで移動の間の時間；施術台の上で必要な部位の施術を受けるまでの時間；等に被施術者が羞恥心を感じないようにするために、また、保温のために、本発明の施術衣を使用する。
【００２１】
施術衣１は、背部の施術を行うために使用されるものであるので、背部側が開放可能となっており、施術者が必要に応じて操作する（脱がせる）ことができるようになっている。
本発明の施術衣１は、後身頃が２つに分かれており、着用時には第一後身頃１１の上に第二後身頃１２を重ね合わせるような構造となっている（図４）。
一方、前部の側は、施術とは無関係であるので、本発明の施術衣１において、前身頃１０は、開放可能とはなっていない（開放可能とする必要はない）（図３）。
【００２２】
本発明の施術衣１は、前身頃１０と第二後身頃１２の境界部付近に貫通孔Ｈ及び係着部材Ａを有し、貫通孔Ｈを通して第一後身頃先端部１１ａを係着部材Ａに係着するようになっている（図５）。
すなわち、被施術者は、施術衣１の袖部１３に両腕を通した後、第一後身頃先端部１１ａを、貫通孔Ｈに挿通し、第一後身頃先端部１１ａを、係着部材Ａに係着させる（図７）。
【００２３】
本発明の施術衣１は、前身頃１０と第一後身頃１２の境界部付近に係着部材Ｂを有し、第二後身頃先端部１２ａを係着部材Ｂに係着するようになっている（図６）。
すなわち、被施術者は、第一後身頃先端部１１ａを、係着部材Ａに係着させた後、第二後身頃先端部１２ａを、係着部材Ｂに係着させる（図８）。これにより、施術衣の着用が完了する。
【００２４】
本発明の施術衣１は、背部（背中）の施術を行うために使用される。施術の際には、被施術者は、施術衣１を着用した状態で施術台に俯せの状態で乗る。
施術者は、背部の施術を行うに際し、必要に応じて、第二後身頃先端部１２ａを係着部材Ｂから解き、次いで第一後身頃先端部１１ａを係着部材Ａから解くことにより、被施術者の背部を開放し、施術を行うことができる。
【００２５】
施術衣１の２つの係着部材Ａ、Ｂは、２つの後身頃先端部１１ａ、１２ａを係着するものであるところ、具体的な係着方法について、特に限定は無いが、ボタンと環状部を使用した係着方法が最適である。
すなわち、図５〜８に示すように、係着部材Ａ及び／又は係着部材Ｂがボタンであり、第一後身頃先端部１１ａ及び／又は第二後身頃先端部１２ａが環状部となっており、該環状部を該ボタンに引っ掛けることによって係着するようになっているが望ましい。
【００２６】
他の係着方法として、面ファスナーによる方法、スナップボタンによる方法等が考えられるが、上記したボタンと環状部を使用した係着方法だと、施術衣１を洗濯することによる劣化の影響が少ない（施術衣１は、不特定多数の被施術者が使用するので頻繁に洗濯する必要がある）；仮に、ボタンが外れて紛失しても、替えのボタンの入手が極めて容易である；施術者による操作（施術において脱がせる際に係着を解く操作）が容易である；等の利点がある。
なお、ボタンと環状部を使用した係着方法だと、他の方法に比べて、強固に係着できるわけではないが、施術衣１は、施術の際に一時的に着用するものであるので、この点は欠点とはならない。
【００２７】
特に、係着部材Ａがボタンであり、第一後身頃先端部１１ａが環状部となっており、該環状部を該ボタンに引っ掛けることによって係着するようになっていると、上記効果を奏しやすく好ましい。
【００２８】
環状部の材質に特に限定は無いが、該材質がゴムであると、様々な体型の被施術者が着用しやすくなり、好ましい。
【００２９】
本発明の施術衣１における、係着部材（特に、ボタン）を使用した方法は、紐で結ぶ方法等と比べて、着脱が極めて容易であり、施術の円滑化に資する。
【００３０】
施術衣１において、係着部材Ａ、貫通孔Ｈ、係着部材Ｂは、それぞれ前身頃１０と後身頃１１、１２の境界部付近、すなわち、被施術者の身体の真横に対応する位置に設けられている。このため、本発明の施術衣１は、被施術者が自ら着用するのが極めて容易となっている。
【００３１】
「前身頃１０と後身頃１１（又は１２）の境界部付近」とは、概ね「前身頃１０と後身頃１１（又は１２）の境界部」から、距離が０ｍｍ〜５０ｍｍ程度離れた部分をいう。
後述のように、貫通孔Ｈは、前身頃１０と第二後身頃１２の非縫合部分に形成する（０ｍｍ）が好ましい。
係着部材Ａや係着部材Ｂは、境界部に設けるのは好ましくなく、上記距離を最低でも５ｍｍ以上設けるのが好ましい。
また、貫通孔Ｈと係着部材Ａは、近接して設けるのが好ましく、具体的には、貫通孔Ｈと係着部材Ａとの間の距離が５〜３０ｍｍ程度であるのが特に好ましい。
【００３２】
係着部材Ａ、貫通孔Ｈ、係着部材Ｂは、前身頃１０と後身頃１１、１２の境界部付近、すなわち、被施術者の身体の真横に対応する位置に設けられていればよく、これらの縦方向の設置位置について特に限定は無いが、被施術者の腰付近に対応する位置に設けられていると、被施術者が施術衣１を操作する（脱がせる）のが容易となる。
【００３３】
貫通孔Ｈは、図５、７に示すように、通常のボタンホールのように、線状の孔であることが望ましく、その長さは、２〜６ｃｍであることが好ましい。
長さが上記範囲内であると、被施術者が第一後身頃先端部１１ａを貫通孔Ｈに通す作業を無理なく行うことができ、また、施術衣１の摩耗が起こりにくい。
【００３４】
貫通孔Ｈは、前身頃１０と第二後身頃１２の境界部付近に存在するが、前身頃１０と第二後身頃１２を縫合して一体化する際に、縫合していない部分を設けることで貫通孔Ｈを自然と形成することができる。
このようにすることによって（前身頃１０と第二後身頃１２が縫合されていない部分が、貫通孔Ｈとなっていることによって）、別途貫通孔Ｈを穿設する加工の手間がかからないだけでなく、施術衣１が摩耗しにくく、長期にわたって使用することができるようになる。
【００３５】
図１〜８で例示した施術衣１は、着用した際に、背部がＶ字型となっている（背部において露出している部分が存在する）。このようになっていることにより、施術者が施術衣をスムーズに操作しやすく（脱がせやすく）なる。
ただし、背部において露出している部分がほとんど存在しない（着用した際に首元付近まで覆われる）形状の施術衣が、本発明の範囲外となるものではない。尤も、施術衣は、一時的に着用するものであり、また、背部が露出していても、被施術者が羞恥心を感じることは少ないので、施術衣をかかる形状とする必要性は低い。
【００３６】
図１〜８で例示した施術衣１は、上半身のみを覆うタイプであるが、本発明の施術衣は、上半身と下半身を一体で覆うワンピースタイプであってもよい。また、図１〜３で例示した施術衣１は、袖部１３が半袖のタイプであるが、本発明の施術衣は、袖部１３が長袖になっていてもよい。
【００３７】
図１〜８においては、被施術者が施術衣１を着用する際に、被施術者の体の左側において、第一後身頃先端部１１ａを係着部材Ａに係着し、被施術者の体の右側において、第二後身頃先端部１２ａを係着部材Ｂに係着するようになっているが、左右の位置関係は、逆になっていてもよい。
【００３８】
施術衣１を構成する素材等に特に限定は無いが、洗濯が容易である；被施術者の素肌に直接触れた際に不快感を生じにくい；吸湿性（汗の吸収）に優れる；等の理由から、施術衣１を構成する素材は、タオル地であることが特に望ましい。
【００３９】
本発明は、前記した施術衣を作製するためのものであることを特徴とする型紙にも関する。
型紙は、施術衣の作製に使用できれば、その材質や厚み等に特に限定は無く、公知の型紙と同様のものを適宜使用することができる。
【産業上の利用可能性】
【００４０】
本発明の施術衣は、着脱が容易であり、また、安価に製造できメンテナンスも容易であるため、アロマテラピーサロン、エステティックサロン、鍼灸院等における背部の施術に広く利用されるものである。
【符号の説明】
【００４１】
１    施術衣
１０    前身頃
１１    第一後身頃
１１ａ  第一後身頃先端部
１２    第二後身頃
１２ａ  第二後身頃先端部
１３    袖部
Ａ    係着部材
Ｂ    係着部材
Ｈ    貫通孔
【図１】
2020176352.tif 000003
【図２】
2020176352.tif 000004
【図３】
2020176352.tif 000005
【図４】
2020176352.tif 000006
【図５】
2020176352.tif 000007
【図６】
2020176352.tif 000008
【図７】
2020176352.tif 000009
【図８】
2020176352.tif 000010